(57)【要約】【課題】  酸素濃度を高めた空気を使用者の口元に直接届けようとする場合、使用者の煩わしくならないように口元から離れた位置に吹き出し口を設けても、酸素が拡散せず効率良く供給できる快適睡眠用高濃度酸素空気供給装置を提供する。【解決手段】  高濃度酸素空気を発生させる高濃度酸素空気発生装置２と、発生した高濃度酸素空気を放出する放出管５と、この高濃度酸素空気を冷却する冷却装置６とを備えた。また、高濃度酸素空気供給装置本体１内に高濃度酸素空気発生装置２と、発生した高濃度酸素空気を放出する放出管５と、この高濃度酸素空気を冷却する冷却装置６とを設けた。また、冷却装置６を放出管５の出口近傍に設けた。【選択図】  図１
2005168879.tif 000002
【特許請求の範囲】
【請求項１】
高濃度酸素空気を発生させる高濃度酸素空気発生装置（２）と、発生した高濃度酸素空気を放出する放出管（５）と、この高濃度酸素空気を冷却する冷却装置（６）とを備えたことを特徴とする快適睡眠用高濃度酸素空気供給装置。
【請求項２】
高濃度酸素空気供給装置本体（１）内に高濃度酸素空気発生装置（２）と、発生した高濃度酸素空気を放出する放出管（５）と、この高濃度酸素空気を冷却する冷却装置（６）とを設けたことを特徴とする快適睡眠用高濃度酸素空気供給装置。
【請求項３】
冷却装置（６）を放出管（５）の出口近傍に設けたことを特徴とする請求項２記載の快適睡眠用高濃度酸素空気供給装置。
【発明の詳細な説明】
【技術分野】
【０００１】
本発明は、高濃度酸素空気を供給する装置の改良に関するものである。
【背景技術】
【０００２】
従来のこの種の高濃度酸素空気を供給する装置は、装置を小型にするために酸素を直接作らず、酸素が通過しやすく窒素が通りにくい酸素富化膜を利用して室内の空気から酸素濃度を高めた空気を作り、例えば浴室内に供給して浴室内に居る使用者に心身がリフレッシュして、体力回復やストレス解消、健康増進等の効果が得られるようにしたものがある（例えば、特許文献１参照）。
【０００３】
また、酸素濃度を高めた空気を使用者の口元に吹き出して、使用者が酸素濃度の高い空気を吸うことにより爽快感が得られ、心身をリフレッシュする器具が開発されている。
【０００４】
【特許文献１】特開平８−１８９２１１号公報
【発明の開示】
【発明が解決しようとする課題】
【０００５】
しかしながら、上記の従来技術において、酸素濃度を高めた空気を使用者に供給する場合、使用者の口元に直接酸素濃度を高めた空気を届けると非常に効率が良いが、使用者の煩わしさという負担を少なくするため口元から少し離れた位置で酸素濃度を高めた空気を吹き出すようにすると、口元に届くまでに酸素が拡散してしまい酸素濃度が低下するという問題がある。
【課題を解決するための手段】
【０００６】
本発明は上記の問題を解決するためになされたものであり、請求項１では高濃度酸素空気を発生させる高濃度酸素空気発生装置と、発生した高濃度酸素空気を放出する放出管と、この高濃度酸素空気を冷却する冷却装置とを備えたものである。
【０００７】
また、請求項２では高濃度酸素空気供給装置本体内に高濃度酸素空気発生装置と、発生した高濃度酸素空気を放出する放出管と、この高濃度酸素空気を冷却する冷却装置とを設けたものである。
【０００８】
また、請求項３では冷却装置を放出管の出口近傍に設けたものである。
【発明の効果】
【０００９】
本発明の快適睡眠用高濃度酸素空気供給装置は、上記のように構成したことにより、ベッドに仰臥した使用者に煩わしさを感じさせることがないように高濃度酸素空気の吹き出し口を使用者の口元から適当な距離を離して設置しても、吹き出し口より吹き出される高濃度酸素の空気は、冷却されて密度が高くなり拡散が抑制されるため、確実に使用者の口元に届くようになり効率よく使用者の口元に高濃度酸素を届けることができる。
【００１０】
また、冷却装置を放出管の出口近傍に設け、冷却された高濃度酸素空気を最短距離で吹き出し口に届けるように構成したことにより、効率よく高濃度酸素空気を使用者の口元に届けることができる。
【００１１】
また、使用者に煩わしさを感じさせることが無いので非常に使いやすい。
【発明を実施するための最良の形態】
【００１２】
以下、本発明の一実施例を図１、図２を参照して説明する。図１は本発明の一実施例を示す快適睡眠用高濃度酸素空気供給装置の構成図、図２は同じく使用時の状態を示す斜視図である。
【００１３】
図において、１は高濃度酸素空気供給装置本体、２は酸素富化膜を利用した高濃度酸素空気発生装置、３は酸素富化膜、４は真空ポンプで酸素富化膜３の片方を真空状態に減圧して室内の空気を酸素富化膜３に通し高濃度酸素空気を作り出している。
【００１４】
５は高濃度酸素空気を放出する放出管、６はペルチェ素子を使用した冷却装置で放出管５の出口近傍に設けられていて、ペルチェ素子の吸熱部にパイプを這わせ、このパイプ中に真空ポンプ４の出口から得られる高濃度酸素を流して冷却し、ペルチェ素子の放熱部には放熱フィンを設けこの放熱フィンに送風機７の風を当てて熱を放熱している。そして、高濃度酸素空気供給装置本体１内に高濃度酸素空気発生装置２と放出管５と冷却装置６とが設けられている。
【００１５】
８は高濃度酸素空気を流す導管で放出管５に一端を接続していて、樹脂等を用いフレキシブルな形態にしているものである。
【００１６】
９はベッドでこの上に使用者が仰臥する。
【００１７】
１０は高濃度酸素空気の吹き出し口でベッド９に仰臥した使用者の口元の上方に適当な距離を離して設けられている。
【００１８】
１１は蛇腹部で一端には吹き出し口１０が設けてあり、吹き出し口１０の向きや高さを任意に変えることができる機能を有するものである。
【００１９】
１２はベッド９のへの固着部材で導管８と蛇腹部１１とが接続してあり、導管８と蛇腹部１１をベッド９へ固着している。
【００２０】
次に以上の構成による作用を説明する。
【００２１】
真空ポンプ４を動作させ、酸素富化膜３の片方の側を真空状態に減圧し室内の空気を酸素富化膜３に通し高濃度酸素の空気を作りだす。
【００２２】
そして、作り出された高濃度酸素の空気は、真空ポンプ４の出口に設けられた冷却装置６によって冷却された後、放出管５に接続された導管８で運ばれ、ベッド９へ固着部材１２により固着された蛇腹部１１の一端に設けられた吹き出し口１０から吹き出され、ベッド９に仰臥した使用者の口元に運ばれる。
【００２３】
そして、吹き出された高濃度酸素空気は冷却されていることにより、空気の密度が大きくなり、密度の高い空気は拡散が抑制されるため、この高濃度酸素空気は拡散が抑制されて使用者の口元に確実に届くようになる。
【００２４】
したがって、ベッド９に仰臥した使用者に煩わしさを感じさせることがないようにベッド９に固着した蛇腹部１１を調節して吹き出し口１０を使用者の口元の上方に適当な距離を離して設置しても、吹き出し口１０より吹き出される高濃度酸素の空気は拡散が抑制されるため確実に使用者の口元に届くようになり、効率よく使用者の口元に高濃度酸素を届けることができる。
【００２５】
また、冷却装置６を放出管５の出口近傍に設け、冷却された高濃度酸素空気を最短距離で吹き出し口１０に届けるように構成したことにより、効率よく使用者の口元に高濃度酸素を届けることができる。
【００２６】
また、使用者に煩わしさを感じさせることが無くせるので非常に使いやすいものである。
【００２７】
なお、冷却装置６は本実施例ではペルチェ素子の吸熱作用を利用しているが、これに限定されるものではなく、高濃度酸素の空気の拡散を抑制するように空気を冷却することができるもので有れば何でも構わない。
【図面の簡単な説明】
【００２８】
【図１】本発明の一実施例を示す快適睡眠用高濃度酸素空気供給装置の構成図である。
【図２】同じく使用時の状態を示す斜視図である。
【符号の説明】
【００２９】
１  高濃度酸素空気供給装置本体
２  高濃度酸素空気発生装置
５  放出管
６  冷却装置
【図１】
2005168879.tif 000003
【図２】
2005168879.tif 000004